(57)【要約】  或る態様によれば、光ガイド組立体１のための照明装置１０が提供される。前記照明装置は、前記光ガイド組立体の管状部材２の出力端部４に配設されるよう適応される。前記照明装置は、光源１３と、層１１であって、少なくとも、前記層に当たる光の反射、及び前記層を透過することができる光の量に関して、調節可能な層とを有する。前記層は、前記層が少なくとも部分的に反射性になるように調節されているときには、前記管状部材の前記出力端部から出力される光を反射し、前記層が少なくとも部分的に光を透過するものになるように調節されているときには、前記層に、前記光源によって発せられる光を透過させるよう、構成される。前記層によって向け直される光は、前記光ガイド組立体によって出力される照明の一部になり得る。
2016511914.tif 000002
【特許請求の範囲】
【請求項１】
管状部材であって、前記管状部材の入力端部から前記管状部材の出力端部へ光を案内するよう適応される管状部材を持つ光ガイド組立体のための照明装置であり、前記照明装置が、前記管状部材の前記出力端部に配設されるよう適応され、前記照明装置が、
光源と、
層であって、少なくとも、前記層に当たる光の反射、及び前記層を透過することができる光の量に関して、調節可能な層とを有する照明装置であって、
前記層が、
前記層が少なくとも部分的に反射性になるように調節されているときには、前記管状部材の前記出力端部から出力される光を反射し、
前記層が少なくとも部分的に光を透過するものになるように調節されているときには、前記層に、前記光源によって発せられる光を透過させるよう、構成される照明装置。
【請求項２】
前記層が、前記層が少なくとも部分的に反射性になるように調節されているときには、前記管状部材の前記出力端部から出力される光を二次反射面の方へ反射するよう、構成され、前記二次反射面が、前記層によって反射され、前記二次反射面に当たる光を、前記光ガイド組立体によって照明されるべき空間の方へ向け直すよう構成される請求項１に記載の照明装置。
【請求項３】
前記光源が、前記二次反射面に向かう方向に光を発するよう構成される請求項２に記載の照明装置。
【請求項４】
前記層が、前記管状部材の前記出力端部に向かう方向に先細であるよう構成される前記照明装置の先細構造上に配設される請求項１乃至３のいずれか一項に記載の照明装置。
【請求項５】
前記層が、電気的に制御可能な粒子を有し、前記層の前記反射及び光が前記層を透過することができる前記量が、前記粒子を電気的に制御することによって調節可能である請求項１乃至４のいずれか一項に記載の照明装置。
【請求項６】
前記層の前記反射が、拡散反射又は鏡面反射である請求項１乃至５のいずれか一項に記載の照明装置。
【請求項７】
ユーザによって入力されるデータ、光センサから受信されるデータ、及びメモリから受信される所定のデータのうちの１つ以上である入力データに基づいて前記層を制御するよう構成される制御装置を更に有する請求項１乃至６のいずれか一項に記載の照明装置。
【請求項８】
管状部材であって、前記管状部材の入力端部から前記管状部材の出力端部へ光を案内するよう適応される管状部材と、請求項１乃至７のいずれか一項に記載の照明装置とを有する光ガイド組立体であって、前記照明装置が、前記管状部材の前記出力端部に配設される光ガイド組立体。
【請求項９】
反射器であって、前記照明装置の前記層によって反射され、前記反射器に当たる光を、前記光ガイド組立体によって照明されるべき空間の方へ向け直すように、前記管状部材の前記出力端部に配設される反射器を更に有する請求項８に記載の光ガイド組立体。
【請求項１０】
前記反射器が、前記管状部材から離れる方向に広がっている請求項９に記載の光ガイド組立体。
【請求項１１】
前記管状部材において案内された光を透過するよう構成される窓を更に有する請求項８乃至１０のいずれか一項に記載の光ガイド組立体。
【請求項１２】
前記窓が、前記窓に当たる光の反射、前記窓を透過する光の色、及び／又は前記窓を透過することができる光の量に関して、調節可能である請求項１１に記載の光ガイド組立体。
【請求項１３】
前記管状部材の前記入力端部に配設されるレンズを更に有し、前記レンズが、光を前記管状部材内へ向けるよう構成される請求項８乃至１２のいずれか一項に記載の光ガイド組立体。
【発明の詳細な説明】
【技術分野】
【０００１】
本発明は、広くは、光ガイド組立体のための照明装置の分野に関する。詳細には、本発明は、管状部材であって、前記管状部材の入力端部から前記管状部材の出力端部へ光を案内するよう適応される管状部材を持つ光ガイド組立体のための照明装置に関する。
【背景技術】
【０００２】
天窓などの光ガイド組立体は、屋内照明のための日光の使用を可能にする。光は、光ガイド組立体の管状部材の入力端部から出力端部へ案内される。光ガイド組立体は、通常、建物の外部から建物の内部などへ、それを通して光を案内するために、例えば、天井又は壁に、配設される。このような光ガイド組立体は、従来の屋内人工照明と比べて、よりエネルギ効率の良い屋内照明を供給する。日光を利用する照明システムの例は、EP2028410に示されている。照明システムは、高反射性内部コーティングを備える光管を有する。光は、光管に入り、光管に沿って配送箇所へ反射される。照明システムは、曇りの場合又は夜間の付加的な照明のための人工照明手段を有する。
【発明の概要】
【発明が解決しようとする課題】
【０００３】
光ガイド組立体のための他の照明装置を実現することは、有利であるだろう。光ガイド組立体のより高い光出力を可能にする照明装置を実現することは、望ましいだろう。これらの問題の１つ以上により良く対処するため、独立請求項において規定されている特徴を持つ光ガイド組立体のための照明装置が提供される。好ましい実施例は、従属請求項において規定されている。
【課題を解決するための手段】
【０００４】
或る態様によれば、光ガイド組立体のための照明装置が提供される。前記光ガイド組立体は、管状部材であって、前記管状部材の入力端部から前記管状部材の出力端部へ光を案内するよう適応される管状部材を持つ。前記照明装置は、前記管状部材の前記出力端部に配設されるよう適応される。前記照明装置は、光源と、層であって、少なくとも、前記層に当たる光の反射、及び前記層を透過することができる光の量に関して、調節可能な層とを有する。前記層は、前記層が少なくとも部分的に反射性になるように調節されているときには、前記管状部材の前記出力端部から出力される光を反射し、前記層が少なくとも部分的に光を透過するものになるように調節されているときには、前記層に、前記光源によって発せられる光を透過させるよう、構成される。
【０００５】
前記層が少なくとも部分的に光を透過するものになるように調節されているときには（即ち、前記層が少なくとも部分的に光を透過するモードに設定されているときには）、前記層は、前記光源によって発せられる光の透過を可能にする。このモードは、好ましくは、夕暮れ、夜明け、夜及び／又は曇りの間などの、前記管状部材内へ入力される光が照明のために十分ではないときのような、前記光源がオンに切り換えられるときに、用いられ得る。前記層が少なくとも部分的に反射性になるように調節されているときには（即ち、前記層が少なくとも部分的に反射性のモードに設定されているときには）、前記管状部材から出力される光の一部が、前記照明装置において吸収される代わりに、向け直され得る。向け直される前記光は、前記光ガイド組立体によって出力される照明の一部になることができ、それによって、前記光ガイド組立体によって出力される光を増大させる。前記少なくとも部分的に反射性のモードは、好ましくは、昼間の間（又は任意の他の相対的に明るい状態）などの、前記管状部材内へ入力される光が十分な照明を供給するときのような、前記光源がオフに切り換えられるときに、用いられ得る。
【０００６】
実施例によれば、前記層は、前記層が少なくとも部分的に反射性になるように調節されているときには、前記管状部材の前記出力端部から出力される光を二次反射面の方へ反射するよう、構成されてもよく、前記二次反射面は、前記層によって反射され、前記二次反射面に当たる光を、前記光ガイド組立体によって照明されるべき空間の方へ向け直すよう構成される。前記二次反射面は、例えば、前記光ガイド組立体を囲む天井、又は前記光ガイド組立体に配設される反射器であり得る。本実施例では、前記層において向け直される光が、前記空間を照明するために利用され得る。従って、前記管状部材によって出力される光の、前記管状部材内への後方反射は、減らされる。前記層は、その代わりに、前記空間の間接照明を供給するための前記二次反射面の方へ光を向け直し得る。
【０００７】
実施例によれば、前記光源は、前記二次反射面に向かう方向に光を発するよう構成され得る。従って、前記光源によって発せられる光は、前記二次反射面によって前記空間の方へ向け直されてもよく、それによって、間接照明を供給する。これは、前記光源からのグレアを減らす。
【０００８】
実施例によれば、前記層は、前記管状部材の前記出力端部に向かう方向に先細であるよう構成される前記照明装置の先細構造上に配設され得る。従って、前記先細構造上の前記層に当たる光は、前記二次面の方へ反射され得る。本実施例では、前記先細構造上の前記層に当たる光の、前記管状部材内へ後方反射される量が減らされる。前記先細構造は、前記光源の出射面などの前記光源の一部であってもよく、又は前記層を支持するよう構成される別個の構造であってもよい。
【０００９】
実施例によれば、前記層は、電気的に制御可能な粒子を有してもよく、前記層の前記反射及び光が前記層を透過することができる前記量は、前記粒子を電気的に制御することによって調節可能である。前記粒子は、例えば、電極を用いて制御され得る。前記粒子は、前記層によって反射される光の量に影響を与えるために反射性のもの（例えば、白色などの不透明なもの）であり得る。前記層は、電子スキン（e-skin）を有してもよく、前記電気的に制御可能な粒子は、区画内に配設される。前記粒子は、帯電していてもよく、前記e-skin表面に対して実質的に平行な電界を選択的に印加することによって制御可能であってもよい（これは、面内電気泳動とも呼ばれ得る）。前記e-skinの電極に電圧を選択的に印加することによって、前記粒子は、前記区画において拡散され、それによって、前記e-skinが反射性になるようにされる、又は前記区画の縁端部などの前記区画の集中部位に集まり、それによって、前記e-skinが、透明若しくは半透明のような、光を透過するもの若しくは少なくともより反射性ではないものになるようにされる。このようなe-skin技術は、ＳＩＤの２０１１年４月１９日の定期刊行物の１乃至７ページのLenssen他による"Bright e-skin technology and applications: simplified grayscale e-paper"、ＳＩＤの２００９年４月１７日の定期刊行物の３８３乃至３８８ページのLenssen他による"Novel concept for full-color electronic paper"、WO2009153709、WO2009153713及びWO2009153701といった刊行物に、より詳細に記載されており、それらは、参照により、それらの全体が本願明細書に盛り込まれる。
【００１０】
実施例によれば、前記層の前記反射は、拡散反射又は鏡面反射であり得る。前記層は、例えば、鏡のようなもの（即ち、鏡面反射性のもの）又は白色拡散性のものであり得る。
【００１１】
実施例によれば、前記照明装置は、ユーザによって入力されるデータ、光センサから受信されるデータ、及びメモリから受信される所定のデータのうちの１つ以上である入力データに基づいて前記層を制御するよう構成される制御装置を更に有し得る。例えば、（随意に予め決定され得る）光の設定が選択されてもよく、それによって、前記制御装置は、それに応じて前記照明装置の前記層及び／又は前記光源を調節し得る。代わりに又は加えて、前記照明装置は、（屋外又は屋内のような）前記管状部材の入力側又は出力側の前記センサによって検出される照明状態に基づいて制御され得る。
【００１２】
実施例によれば、光ガイド組立体が提供される。前記光ガイド組立体は、管状部材であって、前記管状部材の入力端部から前記管状部材の出力端部へ光を案内するよう適応される管状部材と、前述の実施例のいずれか１つにおいて規定されているような照明装置とを有し得る。前記照明装置は、前記管状部材の前記出力端部に配設され得る。
【００１３】
実施例によれば、前記光ガイド組立体は、反射器であって、前記照明装置の前記層によって反射され、前記反射器に当たる光を、前記光ガイド組立体によって照明されるべき空間の方へ向け直すように、前記管状部材の前記出力端部に配設される反射器を更に有し得る。従って、前記反射器は、前記二次反射面を有し得る。従って、前記照明装置の前記層によって反射される光は、前記光ガイド組立体によって供給される照明の一部になり得る。好ましくは、前記光源及び前記反射器は、前記光源によって発せられる光が、前記反射器により、前記光ガイド組立体によって照明されるべき空間の方へ反射されるように、構成され得る。
【００１４】
実施例によれば、前記反射器は、前記光ガイド組立体によって照明されるべき空間の方へ光を反射するために、前記管状部材から離れる方向に広がっていてもよい（又はそらされていてもよい）。
【００１５】
実施例によれば、前記光ガイド組立体は、前記管状部材において案内された光を透過するよう構成される窓を更に有し得る。前記窓は、前記管状部材の前記出力端部又は前記管状部材の内部に配設され得る。前記窓は、塵埃（又は他の望ましくない異物）が前記光ガイド組立体に入るリスクを減らすことができ、それによって、前記光ガイド組立体を清潔に保つ。随意に、前記窓は、前記窓を透過する光の色、及び前記窓を透過する光の量の変化を、好ましくは調節可能に、生じさせるよう適応され得る。変形例においては、又は加えて、前記窓は、例えば、前記窓に当たる光の反射に関して、調節可能であり得る。例えば、前記窓は、例えば、夜の間、前記照明装置によって発せられ、前記窓に当たる光の全て又は実質的に全てを反射するように構成され得る。別の例によれば、前記窓は、例えば、相対的に低い色温度が望まれる又は必要とされるときに、前記光ガイド組立体の前記管状部材の前記入力端部内へ入力され、前記管状部材において案内される、例えば、日光の色を変えるように構成され得る。
【００１６】
本発明は、請求項において列挙されている特徴の全てのあり得る組み合わせに関することに注意されたい。本発明の他の目的、特徴及び利点は、以下の詳細な明細、図面及び添付の請求項の研究時に、明らかになるだろう。当業者は、本発明の様々な特徴は、以下に記載されている実施例以外の実施例を作成するために組み合わされることができることを理解する。
【００１７】
ここで、実施例を示している添付図面を参照して、本発明のこれら及び他の態様を、より詳細に説明する。
【図面の簡単な説明】
【００１８】
【図１】実施例による光ガイド組立体の断面図である。
【図２】図１に示されている光ガイド組立体の出力側からの前記光ガイド組立体を示す。
【図３】実施例による光ガイド組立体の管状部材の内壁の一部の拡大図である。
【図４】実施例による光ガイド組立体の管状部材の内壁の一部の拡大図である。
【図５】別の実施例による光ガイド組立体の管状部材の内壁の一部の拡大図である。
【図６】実施例による電子スキンの一部の拡大図である。
【図７】別の実施例による光ガイド組立体の断面図である。
【発明を実施するための形態】
【００１９】
図は、全て、概略的なものであり、必ずしも、縮尺通りではなく、一般に、本発明を説明するために必要である部分しか示しておらず、他の部分は、省かれている場合があり、又は単に示唆されている場合がある。
【００２０】
図１及び２を参照して、実施例による光ガイド組立体１を説明する。図１は、光ガイド組立体１の断面図であり、図２は、光ガイド組立体１の出力側からの光ガイド組立体１（即ち、光ガイド組立体１によって照明されるべき空間から見た光ガイド組立体１）を示している。光ガイド組立体１は、例えば、日光を建物内へ案内するための天窓に含まれてもよく、又は前記天窓を構成してもよく、それによって、日光が、屋内照明のために用いられ得る。
【００２１】
光ガイド組立体１は、管状部材２の入力端部３から出力端部４へ光を案内するよう構成される管状部材２を有する。管状部材２は、例えば、建物の外部から建物の内部へ（日光などの）光を案内するために建物の壁又は屋根２５に配設され得る。管状部材２の、（管状部材２の長手方向に対して垂直にとられた）断面は、円形又は（図２に示されているような）矩形などの、任意の所望の形状をとり得る。管状部材２の長さは、壁又は屋根２５の厚さに等しくてもよく、又は前記厚さより長くてもよい。管状部材２５の長手方向延在部は、まっすぐであってもよく、傾斜していてもよく、又は湾曲していてもよい。
【００２２】
光ガイド組立体１は、光を管状部材２内へ向ける（好ましくは、集束させる）ためのレンズ６を更に有し得る。レンズ６は、管状部材２の入力端部３に配設され得る。
【００２３】
光ガイド組立体１は、人工照明装置１０を更に有し得る。照明装置１０の光出力は、管状部材２の日光出力を補うものとして用いられ得る。照明装置１０は、フレーム１２を介して管状部材２に接続され得る。光ガイド組立体１は、照明装置１０によって発せられた光（及び／又は照明装置１０において反射された光）を、光ガイド組立体１によって照明されるべき空間の方へ反射するよう構成される反射器２０を更に有し得る。代わりに（又は補足として）、照明装置１０は、天井（又は壁）２５の、管状部材２の出力端部４を囲む部分の方へ光を発する（及び／又は反射する）よう構成されてもよい。本願明細書においては、天井（又は壁）２５のこのような部分、及び反射器２０の反射面は、二次反射面と呼ばれ得る。反射器２０は、発散構造を有し、それによって、反射器２０は、管状部材２の出力端部４から離れる方向に（即ち、光ガイド組立体１によって照明されるべき空間に向けて）広がっている。反射器２０は、管状部材２の出力端部４の縁に配設され得る。
【００２４】
照明装置１０は、少なくとも、二次反射面に向かう（例えば、反射器１１に向かう）方向に光を発するよう構成される、発光ダイオード（ＬＥＤ）などの光源１３を１つ以上有する。随意に、光源１３は、更に、光ガイド組立体１によって照明されるべき空間に向かう方向に（即ち、光ガイド組立体１の主前方照明方向に）光を発するよう構成され得る。
【００２５】
照明装置１０は、層１１を透過することができる光の量及び反射に関して調節可能な層１１を更に有し得る。従って、層１１は、（少なくとも部分的に）反射性のモードと、光透過モードとの間で切り換え可能（又は調整可能）である。層１１は、電極と、区画内に配設され、電極によって制御可能である反射性粒子とを含み得る。例えば、層１１は、e-skinを含み得る。e-skinの電極に電圧を選択的に印加することによって、粒子が、区画において拡散される（それによって、e-skinが反射性になる）、又は区画の縁端部に隠れる（それによって、e-skinが、透明若しくは半透明のような、光を透過するもの若しくは少なくともより反射性ではないものになる）ようにされる。随意に、層１１は、更に、色に関して調節可能であり得る。従って、層１１は、層１１によって反射される光及び／又は層１１を透過する光の色の変化を調節可能に生じさせるよう構成され得る。その場合、層１１は、好ましくはe-skin内に配設される、色付き粒子を有し得る。
【００２６】
照明装置１０は、管状部材２から出力され、層１１に当たる光が、二次反射面（例えば、反射器２０又は天井２５）の方へ向け直されるように、層１１が配設（又は結合）され得る先細構造を含み得る。例えば、先細構造は、光源の先細出射面であってもよく、又は層１１を支持するための（シートなどの）別個の構造であってもよい。先細構造は、管状部材２の出力端部４に向かう方向に先細であるよう構成される。本例においては、先細構造は、三角柱のような形をしている。しかしながら、先細構造は、管状部材２から出力される光を二次反射面の方へ反射するための、凸形状などの任意の所望の形状をしていてもよい。
【００２７】
光ガイド組立体１は、管状部材２の内壁５に配設される少なくとも第１層及び第２層を更に有し得る。以下において、図３及び４を参照して、第１層及び第２層をより詳細に説明する。
【００２８】
第１層５１は、管状部材の内壁５０上にコーティングとして付され得る。図３及び４に図示されている本例においては、第１層５１は、（本例において第１光学特性と呼ばれ得る）第１層５１に当たる光の色の変化を生じさせるよう適応される。例えば、第１層５１は、塗料の色付き層を含み得る。好ましくは、第１層５１は、第１層５１に当たる光の色温度の、2000乃至4000K、好ましくは、2700乃至3800K、最も好ましくは、3000乃至3500Kの範囲内の色温度への変化を生じさせるための暖色を有し得る。例えば、第１層５１は、典型的には5000Kまでの色温度を持つ日光を、より低い色温度に調整するために、赤色、オレンジ色又は黄色であり得る。第２層５２は、（本例において第２光学特性と呼ばれ得る）反射、及び第２層５２を透過することができる光の量に関して、調節可能である。従って、第２層５２は、（少なくとも部分的に）反射性のモードと、（少なくとも部分的に）光を透過するモードとの間で調節可能（例えば、調整可能）である。第２層５２が、（図３に図示されているように）光を透過するモードにあるとき、光は、第２層５２を透過し、第１層５１によって反射されることができる。光が、色付き第１層５１によって反射されるので、光の色は、変えられる。第２層５２が、（図４に図示されているように）反射性のモードにあるとき、光は、第１層５１に到達する前に第２層５２によって反射され、それによって、光の色は変えられないままである。従って、管状部材内を伝搬する光の色は、第２層５２の反射及び光透過特性を調節することによって、調整され得る。
【００２９】
図５に図示されている別の例によれば、第１層６１は、（本例において第１光学特性と呼ばれ得る）反射性である。第１層６１は、鏡面反射性又は（白色塗料の層のような）（拡散）白色であり得る。更に、第２層６２は、第２層６２を透過する（又は第２層６２によって反射される）光の色の変化を調節可能に生じさせるよう適応される。従って、第２層６２は、（少なくとも部分的に）色付きのモードと、（少なくともほとんど）色が付いていないモードとの間で調節可能（例えば、調整可能）である。第２層６２が、色付きのモードにあるとき、第２層６２を透過する光の色は変えられる。第２層６２が、色が付いていないモードにあるとき、第２層６２を透過する光の色は変えられないままである。第２層６２を透過した光は、図５に図示されているように、反射性の第１層６１によって反射される。従って、管状部材内を進む又は伝搬する光の色は、第２層６２の色特性を調節することによって、調整され得る。本例における第２層６２の色は、前述の例による第２層５２の色と等しくてもよい。
【００３０】
図３乃至５を参照して説明した上記の例の両方において、第２層５２、６２は、電極と、区画内に配設され、電極によって制御可能である（反射性の、例えば、白色の、又は色付きの）粒子とを含み得る。例えば、第２層５２、６２は、e-skinを含み得る。e-skinの電極に電圧を選択的に印加することによって、粒子が、区画において拡散される（それによって、e-skinが反射性又は色付きになる）、又は区画の縁端部に隠れる（それによって、e-skinが、透明又は半透明のように、反射性若しくは色付きではなくなる、又は少なくともより反射性若しくは色付きではなくなる）ようにされる。
【００３１】
再び図１を参照すると、光ガイド組立体１は、管状部材２内を案内された光を透過するように、管状部材２の出力端部４を実質的に覆うよう構成される窓２６を更に含み得る。窓２６は、管状部材２の内部を保護する及び覆うための、平坦な、色が付いていないガラス（又はプラスチック）の窓であり得る。他の例においては、窓２６は、窓２６を透過する光の色、及び／又は窓２６を透過することができる光の量の変化を調節可能に生じさせるよう適応され得る。
【００３２】
窓２６は、窓１１０を透過する光の色温度の、4000K未満、好ましくは、3400K未満、最も好ましくは、2700K未満の色温度への変化を制御可能に生じさせるよう適応され得る。窓２６は、色に関して調節可能であってもよく、窓２６を透過する光の相対的に暖かい色を達成するために、窓２６の色を、黄色からオレンジ色を介して赤色へ調整することを可能にする。これらの色及び色温度は、黄色及びマゼンタ色を混合することによって供給され得る。より冷たい色温度を達成するためには、シアン色が、前記混合に付加され得る。黒色が、光を遮るために用いられてもよい。窓２６を透過する光の色の変化を生じさせる目的のため、窓２６は、電子的に制御可能な色付き粒子を含み得る。例えば、電子スキン（e-skin）が、窓の表面に結合され得る。
【００３３】
電子スキン１１５の拡大図を示している図６を参照して、照明装置の層に含まれてもよく、管状部材の内壁に配設されてもよく、且つ／又は窓に配設されてもよいe-skinの例を記載する。e-skin１１５は、各層が、図２に図示されているように複数の区画（又はセル）１１１、１１２を持つ、１つ以上の層を含み得る。本例においては、e-skin１１５は、互いに重なり合う第１層及び第２層を有する。第１層の第１区画１１１は、第２層の第２区画１１２に配設される（例えば、結合される）。第１区画１１１は、正電荷を持つシアン色粒子１１７と、負電荷を持つ黄色粒子１１６とを囲み、第２区画１１２は、負電荷を持つマゼンタ色粒子１１８と、正電荷を持つ黒色粒子１１９とを囲む。第１区画１１１の電極１１３間に印加される面内電界を調節することによって、黄色粒子１１６は、第１区画１１１において拡散するようにされることができ、シアン色粒子は、第１区画１１１の縁端部などの相対的に小さい領域に集まるようにされることができ、それによって、第１層の第１区画部分は、黄色になる。同様に、第２区画１１２の電極１１３間に印加される面内電界を調節することによって、マゼンタ色粒子１１８は、第２区画１１２において拡散するようにされることができ、黒色粒子１１９は、第２区画１１２の縁端部などの相対的に小さい領域に集まるようにされることができ、それによって、第２層の第２区画部分は、マゼンタ色になる。２つの層は重なり合うので、黄色及びマゼンタ色の混合が、e-skin１１５において生じる。同じ原理により、シアン色及び黒色粒子１１７、１１９は、拡散するようにされることができ、黄色及びマゼンタ色粒子１１６、１１８は、区画１１１、１１２の縁端部に集まるようにされることができる。従って、或る色の粒子は、他の色の粒子に対して独立して制御可能である。
【００３４】
再び図１を参照し、光ガイド組立体１の動作を説明する。昼間の間、（図１に概略的に図示されているような太陽９からの）日光が、レンズ６によって管状部材２の入力端部３内へ向けられる。日光は、内壁５（並びに前記内壁５に付される第１及び／又は第２層）において、管状部材２の出力端部４の方へ反射される。第２層の設定（又は構成）に依存して、管状部材において案内される光は、色を変え得る。日光は、窓２６を通して管状部材２を出て行き、窓２６は、窓２６の設定（又は構成）に依存して、光の色を変えることができる、且つ／又は光（の少なくとも一部）を遮ることができる。管状部材２を出て行く光の幾らかは、照明装置１０に当たり得る。照明装置１０の層１１の設定(又は構成)に依存して、層１１に当たる光（の少なくとも一部）は、反射器２０の方へ向け直され、反射器２０は、光ガイド組立体１によって照明される空間の方へ光を反射する。
【００３５】
光ガイド組立体１は、管状部材２の内壁５における第２層、窓２６、照明装置１０の層１１、及び照明装置１０の光源１３のうちの１つ以上を制御するための制御ユニット（又は制御装置）３０を更に含み得る。光ガイド組立体１は、制御ユニット３０に通信可能に結合されるユーザインタフェース３５を更に含み得る。光ガイド組立体１は、光の色（及び／若しくは色温度）及び／若しくは明るさ（並びに／又は任意の他の光特性）を検出し、それらを示す信号を送信するよう構成される少なくとも１つのセンサ８を更に含み得る。随意に、色を検出するための１つのセンサ及び明るさを検出するための１つのセンサのような、２つ（以上）の別々のセンサ８が設けられ得る。他の例においては、１つのセンサ８が、色及び明るさの両方を検出するために設けられ得る。センサ８は、（図１に図示されているように）窓２６に配置されてもよく、又は光ガイド組立体１によって出力されるべきである光及び／又は光ガイド組立体１によって出力された光を検出するための、管状部材２内の、又は壁若しくは屋根２７の内側若しくは外側における任意の位置に配置されてもよい。
【００３６】
制御ユニット３０は、センサ８からの、色及び明るさを示す信号、ユーザインタフェース３５を介して入力されるデータ、並びに（例えば、メモリに記憶された）所定のデータのうちの１つ以上に基づいて光ガイド組立体１を制御するよう構成され得る。例えば、ユーザは、（例えば、照明の明るさ及び／又は色において指定されている）光ガイド組立体１のための所定の光の設定を選択し得る。その場合、制御ユニット３０は、検出された照明状況に基づいて、選択された光の設定を供給するよう光ガイド組立体１を制御し得る。
【００３７】
例えば、センサ８が3000luxの明るさ及び4000Kの色温度を検出するときに、500luxの明るさ及び3000Kの色温度を持つ光の設定が選択され得る。その場合、制御ユニット３０は、例えば、管状部材２において案内される光の色の変化を生じさせるための内面５における第２層、及び／又は窓２６を透過する光の色の変化を生じさせるための窓２６の色を調節することによって、光ガイド組立体１から出力される光が約3000Kの色温度を持つように、（センサ８からの信号に基づいて）光ガイド組立体１を制御し得る。更に、制御ユニット３０は、窓２６を透過した光の明るさが約500luxになるように、窓２６の光透過率を制御し得る。従って、窓２６は、入力される光の幾らかを遮るよう制御される。更に、管状部材２から出力される光が、適切な明るさ（即ち、窓２６を通過した後に500luxの明るさ）を持つので、制御ユニット３０は、光源１３を、オフに切り換えられるよう制御し、照明装置１０の層１１を、管状部材２を出て行き、層１１に当たる光が、光ガイド組立体１によって照明される空間の方へ光を反射する反射器２０の方へ反射されるような反射性のモードになるよう制御することができる。
【００３８】
別の例によれば、センサ８がゼロの明るさ（従って、色温度がないこと）を検出するときに、500luxの明るさ及び3000Kの色温度を持つ光の設定（即ち、直前の例と同じ光の設定）が選択され得る。その場合、制御ユニット３０は、例えば、照明装置１０をオンに切り換え、照明装置１０の明るさを500luxに調節し、照明装置１０の層１１を、光源１３によって発せられる光が、光ガイド組立体１によって照明される空間の方へ光を反射する反射器２０に当たるような光透過モード（即ち、反射性ではないモード）になるよう制御することによって、（センサ８からの信号に基づいて）光ガイド組立体１を制御し得る。
【００３９】
図７を参照して、別の実施例による光ガイド組立体を説明する。
【００４０】
図７は、光ガイド組立体７０が、管状部材７５の出力端部７４に向けて管状部材７５内へ光を発するよう構成される（人工）照明装置７１を含み得ること以外は、図１乃至６を参照して説明した光ガイド組立体と同様に構成され得る光ガイド組立体７０を示している。照明装置７１は、フレーム７２によって管状部材７５の入力端部７３に取り付けられ得る。本実施例においては、照明装置７１からの光の（色及び／明るさなどの）特性は、管状部材７５の内壁７６の第２層及び／又は窓７７を制御することによって、調節され得る。
【００４１】
図面及び上記の説明において実施例が詳細に図示及び説明されているが、このような図示及び説明は、説明的なもの又は例示的なものとみなされるべきであり、限定するものとみなされるべきではなく、本発明は、開示されている実施例には限定されない。
【００４２】
例えば、本明細書には、例示実施例として、日光を建物内へ案内するための光ガイド組立体が記載されているが、光ガイド組立体は、管状部材の入力端部から出力端部へ光を案内することが望ましい他のアプリケーションのためにも用いられ得ることは、理解されるだろう。
【００４３】
更に、管状部材の内面には、異なる光学特性を備える３つ以上の層が付されてもよいことは、理解されるだろう。
【００４４】
更に、本明細書には、例示実施例として、e-skinを有する、窓、照明装置の調節可能な層、及び管状部材の内壁における第２層が、記載されているが、色及び／又は反射及び／又は透過する光の量の変更は、電気泳動、動電、エレクトロウェッティング、懸濁粒子装置、液晶又はエレクトロクロミックの技術などの他の技術によっても達成され得ることは、理解されるだろう。
【００４５】
請求項に記載の発明を実施する当業者は、図面、明細及び添付の請求項の研究から、開示されている実施例に対する他の変形を、理解し、達成し得る。請求項において、「有する」という用語は、他の要素又はステップを除外せず、単数形表記は、複数の存在を除外しない。特定の手段が、相互に異なる従属請求項において引用されているという単なる事実は、これらの手段の組み合わせが有利になるように使用されることができないと示すものではない。請求項におけるいかなる参照符号も、範囲を限定するものとして解釈されてはならない。
【図１】
2016511914.tif 000003
【図２】
2016511914.tif 000004
【図３】
2016511914.tif 000005
【図４】
2016511914.tif 000006
【図５】
2016511914.tif 000007
【図６】
2016511914.tif 000008
【図７】
2016511914.tif 000009
【国際調査報告】
2016511914.tif 000010
2016511914.tif 000011
2016511914.tif 000012